(57)【要約】【課題】テープカートリッジの仕様や特性の違いに対応して設けられる識別構造の変更を簡便に行って、製造コストを削減でき、しかもクリーニング機能の有無を的確に識別できる単リール型のテープカートリッジを提供する。【解決手段】単リール型のテープカートリッジにおいて、リーダーブロック５にテープカートリッジの仕様、特性、クリーニング機能の有無などを識別するための識別構造１６・１７を設ける。識別構造１６は、リーダーブロック５の前端面に設けた複数個の識別穴２６で構成する。リーダーブロック５の連結部１１に、第２識別穴１７を形成し、第２識別穴１７に装着される栓体２７の有無をテープドライブの検知ピン２８で検知して、クリーニング機能の有無を識別できるようにする。【選択図】図１
2008041130.tif 000002
【特許請求の範囲】
【請求項１】
本体ケースの内部に一個のテープリールが収容されており、前記テープリールに巻かれたテープの繰り出し端に、リーダーブロックが固定してあるテープカートリッジであって、
前記リーダーブロックに、テープカートリッジの仕様、特性、クリーニング機能の有無などを識別するための識別構造が設けてあることを特徴とする単リール型のテープカートリッジ。
【請求項２】
前記リーダーブロックが、前記本体ケースの前面に開口したローディング開口に臨んで配置されており、
前記識別構造が、前記リーダーブロックの前端面に設けた複数個の識別体で構成されており、
前記識別体が、前記リーダーブロックの前端面に形成される、識別穴と識別突起との少なくともいずれか一方で形成してある請求項１記載の単リール型のテープカートリッジ。
【請求項３】
前記リーダーブロックが、テープドライブの捕捉体に係合連結される連結部と、リーダーテープを連結するためのテープ連結部とを一体に備えており、
前記連結部の内部に第２識別穴が形成されており、前記第２識別穴に装着される栓体の有無をテープドライブの検知ピンで検知して、クリーニング機能の有無を識別できる請求項１または２記載の単リール型のテープカートリッジ。
【請求項４】
前記第２識別穴と対向する前記本体ケースの底壁に、テープドライブの検知ピンの進入を許すピン開口が開口されており、
前記ピン開口から挿入される前記検知ピンで前記栓体の有無を検知して、クリーニング機能の有無を識別できる請求項３記載の単リール型のテープカートリッジ。
【請求項５】
前記識別体が、前記リーダーブロックの前端面に形成した複数個の識別穴で構成されており、
前記識別穴は、前記リーダーブロックの前記第２識別穴と連通する状態で形成されており、
前記識別穴を識別する検知ピンで前記栓体の有無を検知して、クリーニング機能の有無を識別できる請求項３記載の単リール型のテープカートリッジ。
【請求項６】
前記第２識別穴に装着される栓体に、読み書きヘッドのヘッド面を払拭するクリーニング要素が装着してある請求項３から５のいずれかに記載の単リール型のテープカートリッジ。
【発明の詳細な説明】
【技術分野】
【０００１】
本発明は、テープカートリッジの仕様や特性、あるいはクリーニング機能の有無などを識別するための識別構造を備えている単リール型のテープカートリッジに関する。
【背景技術】
【０００２】
本発明に関して、クリーニング機能を備えたテープカートリッジは、例えば特許文献１に公知である。そこでは、リーダーテープと記録テープの間にクリーニングテープを設けて、テープカートリッジから引き出されたリーダーテープをテープドライブ側のテープリールへ渡す間に、クリーニングテープを読み書きヘッドと摺接させてヘッド面をクリーニングできるようにしている。このようなテープカートリッジとは別に、クリーニング専用のテープカートリッジが各メーカーから市販されている。そこでは、記録テープに換えてクリーニングテープをテープリールに巻き込んでいる。クリーニングテープは、例えばクリーニング液を含浸できるリボン状の生地で形成されており、ヘッド面に付着した異物を払拭することにより除去する。
【０００３】
【特許文献１】特開平８−６３７１８号公報（段落番号００１４、図５）
【０００４】
テープカートリッジには、その仕様や特性などを識別するための識別構造が設けられており、この識別構造をテープドライブの検知手段で検知することにより、検知結果をテープドライブの制御に反映させている。
【０００５】
図９および図１０に従来の識別構造の一例を示している。そこでは、本体ケース４０の周側壁に形成した縦長のリブ４１の個数、および長さをテープドライブの検知手段で検知している。あるいは、リーダーテープや磁気テープなどのテープ４３の始終端に形成した識別孔４４の形成個数や、形成位置をテープドライブの検知手段で検知している。このような検知結果から、テープカートリッジの仕様や特性などを識別できる。テープドライブに装填されたテープカートリッジが、クリーニング専用のテープカートリッジであること、あるいはクリーニング機能を併せ持つテープカートリッジであることも、同様にして識別できる。
【０００６】
因みに、クリーニング専用のテープカートリッジをテープドライブに装填すると、先の検知結果はテープドライブの制御プログラムに反映される。例えば読み書きヘッドに対する信号の授受を禁止した状態で、クリーニングテープが往復走行するように各駆動機器を制御し、あるいは、ヘッド面を確実に払拭できるように、クリーニング部材の送り速度を低速にするなどの制御を行って、クリーニング効果を高めるようにしている。
【発明の開示】
【発明が解決しようとする課題】
【０００７】
上記のように、本体ケースの周側壁に形成した識別構造や、リーダーテープや記録テープの始終端に形成した識別構造などを、テープドライブに設けた検知手段で検知する識別形態では、テープカートリッジの仕様や特性に応じて識別構造を変更する必要がある。そのため、本体ケースの成形時に、成形型を部分的に変更して識別構造を変更し、あるいは、リーダーテープや記録テープの始終端に形成される識別孔の形成個数や形成位置を変更する必要があり、その分だけ作業工数が増え、テープカートリッジの製造コストが嵩むのを避けられない。
【０００８】
テープカートリッジの仕様や特性を識別することに加えて、従来の識別構造を利用しながら、クリーニング専用のテープカートリッジや、クリーニング機能を併せ持つテープカートリッジなどを識別する場合には、本体ケース用の成形型の部分的な変更がさらに煩雑となり、あるいはリーダーテープの抜型を新たに用意する必要が生じるため、テープカートリッジの製造コストがさらに嵩むこととなる。
【０００９】
本発明の目的は、テープカートリッジの仕様や特性の違いに対応して設けられる識別構造の変更を簡便に行うことができ、従来のテープカートリッジに比べて製造コストが少なくて済むテープカートリッジを提供することにある。本発明の目的は、テープカートリッジの仕様や特性の識別はもちろん、クリーニング機能を併せ持つテープカートリッジであるか否かを的確に識別して、識別結果をクリーニング処理に反映させ効果的にクリーニングを行える単リール型のテープカートリッジを提供することにある。
【課題を解決するための手段】
【００１０】
本発明は、本体ケース１の内部に一個のテープリール２が収容され、テープリール２に巻かれたテープ３の繰り出し端に、リーダーブロック５が固定してあるテープカートリッジにおいて、リーダーブロック５に、テープカートリッジの仕様、特性、クリーニング機能の有無などを識別するための識別構造１６・１７が設けてあることを特徴とする。
【００１１】
リーダーブロック５は、本体ケース１の前面に開口したローディング開口８に臨んで配置する。識別構造１６は、リーダーブロック５の前端面に設けた複数個の識別体２６で構成する。識別体２６は、リーダーブロック５の前端面に形成される、識別穴と識別突起との少なくともいずれか一方で形成する。
【００１２】
リーダーブロック５は、テープドライブの捕捉体Ｃに係合連結される連結部１１と、リーダーテープ４を連結するためのテープ連結部１２とを一体に備えている。連結部１１の内部に第２識別穴１７が形成されており、第２識別穴１７に装着される栓体２７の有無をテープドライブの検知ピン２８で検知して、クリーニング機能の有無を識別できるようにする。
【００１３】
第２識別穴１７と対向する本体ケース１の底壁に、テープドライブの検知ピン２８の進入を許すためのピン開口２９を開口する。ピン開口２９から挿入される検知ピン２８で栓体２７の有無を検知して、クリーニング機能の有無を識別できるようにする。
【００１４】
識別体はリーダーブロック５の前端面に形成した複数個の識別穴２６で構成する。識別穴２６は、リーダーブロック５の第２識別穴１７と連通する状態で形成する。識別穴２６を識別する検知ピン２２で栓体２７の有無を検知して、クリーニング機能の有無を識別できるようにする。
【００１５】
第２識別穴１７に装着される栓体２７に、読み書きヘッド２４のヘッド面を払拭するクリーニング要素３１を装着する。
【発明の効果】
【００１６】
本発明では、単リール型のテープカートリッジにおいて、リーダーブロック５に、テープカートリッジの仕様、特性、クリーニング機能の有無などを識別するための識別構造１６・１７を設けるようにした。このように、小形で構造が簡単な成形型で成形されるリーダーブロック５に識別構造１６・１７を設けると、大きく複雑な構造の成形型で成形される本体ケースに識別構造を設ける従来構造に比べて、テープカートリッジの仕様や特性の違いに応じた識別構造１６の変更を簡便に行うことができ、その分だけテープカートリッジの製造コストを削減できる。
【００１７】
リーダーブロック５を本体ケース１の前面に開口したローディング開口８に臨んで配置し、識別構造１６を構成する複数個の識別体２６を識別穴と識別突起との少なくともいずれか一方で形成すると、テープドライブの検知ピン２２などの検知部材をローディング開口８の側から本体ケース１の内部に差し込んで、テープカートリッジの仕様や特性などを検知し識別できるので、本体ケース１に検知部材用の挿入穴を形成する必要がなく、塵埃などが本体ケース１内へ侵入する機会を減少できる。
【００１８】
連結部１１とテープ連結部１２とでリーダーブロック５を構成し、連結部１１の内部に第２識別穴１７を形成したうえで、第２識別穴１７に装着される栓体２７の有無をテープドライブの検知ピン２８で検知するテープカートリッジによれば、第２識別穴１７に栓体２７が装着してあるか否かを検知ピン２８で検知して、テープカートリッジがクリーニング機能を備えているか否かを識別でき、得られた検知結果をテープドライブの制御プログラムに反映させることにより、テープローディング動作やクリーニング動作を好適化できる。さらに、通常のテープカートリッジと、クリーニング機能を備えているテープカートリッジとで、リーダーブロック５を共通して使用できるので、リーダーブロックを個別に設ける場合に避けられない、金型の部分的な変更を省いて、その分だけテープカートリッジの製造コストを削減できるうえ、在庫管理の煩雑さをも解消できる。
【００１９】
リーダーブロック５の前端面に形成される識別穴２６を第２識別穴１７と連通する状態で形成し、この識別穴２６を識別する検知ピン２２で、第２識別穴１７に栓体２７が装着してあるか否かを検知するテープカートリッジによれば、上記と同様に、テープカートリッジがクリーニング機能を備えているか否かを的確に識別でき、得られた検知結果をテープドライブの制御プログラムに反映させることにより、テープローディング動作やクリーニング動作を好適化できる。通常のテープカートリッジと、クリーニング機能を備えているテープカートリッジとで、リーダーブロック５を共通して使用できる点も、先のテープカートリッジと同じである。また、識別構造１６の識別穴２６を利用して栓体２７の有無を検知するので、テープドライブ側の検知構造を簡素化できる利点がある。
【００２０】
栓体２７に読み書きヘッド２４のヘッド面を払拭するクリーニング要素３１が装着してあるテープカートリッジによれば、栓体２７を第２識別穴１７に装着するだけの簡単な作業でクリーニング機能を付加できるので、クリーニング機能を備えたテープカートリッジをより低コストで製造できる。クリーニング機能が低下した場合には、栓体２７を新規な栓体２７と交換することにより、クリーニング機能を更新して読み書きヘッド２４のヘッド面を常に清浄な状態に維持することができる。
【発明を実施するための最良の形態】
【００２１】
（実施例）  図１ないし図７は本発明に係るテープカートリッジの実施例を示す。図１においてテープカートリッジは、角箱状の本体ケース１の内部に一個のテープリール２を収容し、このテープリール２に情報記録媒体である記録テープ（テープ）３を巻き込み収納している。記録テープ３の繰り出し端にはリーダーテープ４が接続され、その遊端にリーダーブロック５が固定してある。
【００２２】
図２に示すように、本体ケース１は、上下ケース１ａ・１ｂを蓋合わせ状に接合固定して構成してあり、その前壁の一側に記録テープ３を出し入れするためのローディング開口８を備えている。ローディング開口８は、スライド自在なシャッター９で開閉できる。テープカートリッジが不使用状態にあるとき、リーダーブロック５は、本体ケース１内に設けた保持構造によって、その前端がローディング開口８と正対する状態で所定の待機姿勢に保持固定されている。
【００２３】
図３に示すように、リーダーブロック５は、テープドライブの捕捉体Ｃに係合連結される四角ブロック状の連結部１１と、リーダーテープ４を連結するための板状のテープ連結部１２とを一体に備えたプラスチック成形品からなる。先のリーダーテープ４は、テープ連結部１２にスプライシングテープ１３で連結してある。連結部１１には、上下一対の係合溝１５と、テープカートリッジの仕様、特性などを識別するための識別構造１６と、クリーニング機能の有無を識別するための第２識別穴（識別構造）１７が形成してある。
【００２４】
リーダーブロック５を捕捉固定する捕捉体Ｃは、基部２０の先端に、上下一対の鈎形の連結爪２１を設けた金属加工品からなり、基部２０に先の識別構造１６を検知する上下４個の検知ピン（検知部材）２２が組み込んである。連結爪２１は、連結部１１に設けた一対の係合溝１５と係合して、リーダーブロック５を捕捉固定し、図６に示すように記録テープ３をテープドライブ側のテープリール２３に渡す。図６において符号２４は読み書きヘッドである。
【００２５】
識別構造１６は、連結部１１の前端面に設けた上下４個の識別穴（識別体）２６で構成されており、各識別穴２６の深さの違いと、穴深さの違いの組み合わせによってテープカートリッジの仕様や特性などを識別することができる。第２識別穴１７は連結部１１に上下貫通状に形成した断面凸字状の穴からなり、係合溝１５と対向する連結部１１の側面において開口している。
【００２６】
上記の第２識別穴１７に装着される栓体２７の有無をテープドライブの検知ピン２８で検知することにより、テープドライブに装填されたテープカートリッジがクリーニング機能を備えているか否かを識別できる。そのために、第２識別穴１７と対向する本体ケース１の底壁には、テープドライブの検知ピン２８の進入を許すピン開口２９が開口してある。栓体２７は断面凸字状のプラスチック成形品からなり、図４に示すように上部に設けた係合突起３０を第２識別穴１７の係合凹部と係合させることにより、抜け外れ不能に固定される。
【００２７】
図４に示すように、第２識別穴１７に栓体２７が装着してある場合には、クリーニング機能を備えたテープカートリッジであることを意味しており、検知ピン２８は栓体２７の下面で受け止められている。また、栓体２７が第２識別穴１７に装着されていない場合には、クリーニング機能を備えていない通常のテープカートリッジであることを意味しており、その場合の検知ピン２８は、想像線で示すように第２識別穴１７内へ進入できる。クリーニング機能を備えたテープカートリッジとしては、記録テープ３に換えてクリーニングテープのみがテープリール２に巻き込んである、クリーニング専用のテープカートリッジと、記録テープ３を備えていながらクリーニング機能を併せ持つテープカートリッジとがある。
【００２８】
この実施例のテープカートリッジは、記録テープ３を備えていながらクリーニング機能を併せ持つテープカートリッジとして構成した。具体的には、上記の栓体２７の側端面にブリッスル（クリーニング要素）３１の一群を直線列状に植設して、図７に示すようにテープローディングに伴ってリーダーブロック５が読み書きヘッド２４の近傍を通過するとき、ブリッスル３１が読み書きヘッド２４と接触してヘッド面を払拭清掃できるようにした。
【００２９】
以上のように構成したテープカートリッジによれば、テープカートリッジをテープドライブに装填した状態において、識別構造１６の識別穴２６を検知ピン２２で検知することにより、テープカートリッジの仕様や特性を識別することができる。なお、検知ピン２２は、図７に示すように捕捉体Ｃがリーダーブロック５と係合連結した後に基部２０内の待機位置へ退入操作されて、新たなテープカートリッジがテープドライブに装填されるまでの間、待機姿勢に維持される。
【００３０】
検知ピン２２による検知動作と同時に、栓体２７の有無を検知ピン２８で検知することにより、装填されたテープカートリッジがクリーニング機能を備えているか否かを的確に識別できる。検知ピン２８による識別結果はテープドライブの制御プログラムに反映されて、クリーニング効果を高められるように駆動機器の制御を行う。詳しくは、リーダーブロック５が読み書きヘッド２４の近傍を通過するときのローディング速度を低速にして、ブリッスル３１をゆっくりと移動させながらヘッド面を確実に払拭できるようにしている。ブリッスル３１がヘッド面を通過した後の送り速度は、定常の速度に復帰される。
【００３１】
識別構造に関して、小形で構造が簡単な成形型で成形されるリーダーブロック５に識別構造１６を設けるので、大きく複雑な構造の成形型で成形される本体ケースに識別構造を設ける従来構造に比べて、テープカートリッジの仕様や特性の違いに応じた識別構造１６の変更を簡便に行うことができ、その分だけテープカートリッジの製造コストを削減できる。さらに、第２識別穴１７に栓体２７が装着してあるか否かを検知ピン２８で検知して、テープカートリッジがクリーニング機能を備えているか否かを識別し、得られた検知結果をテープドライブの制御プログラムに反映させて、テープローディング動作やクリーニング動作を好適化できる。
【００３２】
栓体２７の有無によってクリーニング機能を備えているか否かを識別するので、通常のテープカートリッジと、クリーニング機能を備えているテープカートリッジとで、リーダーブロック５を共通して使用でき、リーダーブロックを個別に設ける場合の金型の部分的な変更を省いてコストを削減できるうえ、在庫管理の煩雑さをも解消できる。識別構造１６と第２識別穴１７をリーダーブロック５に集約配置するので、テープドライブ側の検知構造をコンパクト化できる利点もある。
【００３３】
図８は識別構造の別の実施例を示す。そこでは、上端の識別穴２６を第２識別穴１７に連通させておき、上端の識別穴２６に進入する検知ピン２２で栓体２７の有無を検知することにより、テープドライブに装填されたテープカートリッジがクリーニング機能を備えているか否かを識別できるようにした。この実施例では上端の検知ピン２２が先の実施例における検知ピン２８を兼ねることとなる。他は先の実施例と同じであるので、同じ部材に同じ符号を付してその説明を省略する。
【００３４】
上記の実施例以外に、リーダーテープ（テープ）４と記録テープ３との間にクリーニングテープを連結しておき、クリーニングテープを読み書きヘッド２４に摺接させて、ヘッド面を払拭清掃することができる。また、クリーニング専用のテープカートリッジにおいては、記録テープ３に換えてクリーニングテープ（テープ）をテープリール２に巻装しておき、クリーニングテープを読み書きヘッド２４に往復摺接させて、ヘッド面を払拭清掃することができる。その場合には、識別構造１６を利用してクリーニング専用のテープカートリッジであることをテープドライブに識別させて、読み書きヘッドに対する信号の授受を禁止し、さらにテープ送り速度を低速にした状態でクリーニングテープを往復走行させる。
【００３５】
リーダーブロック５の構造は、実施例で説明した構造に限定するものではなく、識別構造１６と第２識別穴１７を備えていれば、任意の形状に形成することができる。識別構造１６を構成する識別体は、穴に換えて突起で形成することができる。第２識別穴１７の断面形状は、丸、四角、楕円など任意形状に形成することができる。リーダーブロック５に装着されるクリーニング要素３１は、ブリッスル以外に皮革、布地、スポンジなどを適用できる。検知部材２２は識別体２６の構造に応じて変更すべきであり、ピン構造である必要はない。
【図面の簡単な説明】
【００３６】
【図１】テープカートリッジの概略構造を示す一部破断平面図である。
【図２】リーダーブロックを本体ケースの外へ引き出した状態の正面図である。
【図３】リーダーブロックの斜視図である。
【図４】図１におけるＡ−Ａ線断面図である。
【図５】図４におけるＢ−Ｂ線断面図である。
【図６】記録テープのローディング状態を示す説明図である。
【図７】読み書きヘッドのクリーニング状態を示す平面図である。
【図８】識別構造の別の実施例を示す断面図である。
【図９】本体ケースにおける従来の識別構造を斜視図である。
【図１０】リーダーテープにおける従来の識別構造を示す説明図である。
【符号の説明】
【００３７】
１  本体ケース
２  テープリール
３  記録テープ（テープ）
５  リーダーブロック
１１  連結部
１６  識別構造
１７  第２識別穴
２６  識別穴
２７  栓体
【図１】
2008041130.tif 000003
【図２】
2008041130.tif 000004
【図３】
2008041130.tif 000005
【図４】
2008041130.tif 000006
【図５】
2008041130.tif 000007
【図６】
2008041130.tif 000008
【図７】
2008041130.tif 000009
【図８】
2008041130.tif 000010
【図９】
2008041130.tif 000011
【図１０】
2008041130.tif 000012